(57)【特許請求の範囲】
【請求項１】
複数の居室に対して共通に設置された換気扇に連通されたダクトを介して各居室の換気を行うようにしたダクト式換気制御装置において、
前記各居室毎のエアコンに設けられた室内の湿度を検出する複数の検出手段と、
前記各検出手段に対応して設けられ、前記検出手段により検出された湿度が所定値以上の場合、換気扇を始動させる制御信号を発生する複数の制御信号発生手段と、
前記複数の制御信号発生手段のいずれかから入力された信号の論理和を出力して換気扇の駆動を行う換気駆動手段と、
を具備してなることを特徴とするダクト式換気制御装置。
【請求項２】
前記エアコンには、一定時間毎にルーバー及びファンを駆動する周期駆動手段が設けられてなることを特徴とする請求項１記載のダクト式換気制御装置。
【発明の詳細な説明】
【０００１】
【産業上の利用分野】
本発明は、換気扇の動作を制御する装置に係り、特に、湿度に応じて適切な換気が行われるようにした換気制御装置に関する。
【０００２】
【従来の技術】
快適な居住空間の形成のためには、室内の適度な換気を行うことが必要とされる。
従来、図５に示されるように、室内にエアコン室内機１５と換気扇１６とが設けられた場合、これらの機器の動作は相互の関連なく、全く別個に動作するようになっていた。
【０００３】
【発明が解決しようとする課題】
したがって、室内の湿度が上昇し換気が必要となった場合、使用者は自ら換気コントローラ１６ａの操作により換気扇１６を動作させる必要があった。
本発明は、上記実情に鑑みてなされたもので、簡易な構成で効果的な換気を行える換気制御装置を提供するものである。
【０００６】
【課題を解決するための手段】
上記の課題を解決するため、本発明のダクト式換気制御装置は、
複数の居室に対して共通に設置された換気扇に連通されたダクトを介して各居室の換気を行うようにしたダクト式換気制御装置において、
前記各居室毎のエアコンに設けられた室内の湿度を検出する複数の検出手段と、
前記各検出手段に対応して設けられ、前記検出手段により検出された湿度が所定値以上の場合、換気扇を始動させる制御信号を発生する複数の制御信号発生手段と、
前記複数の制御信号発生手段のいずれかから入力された信号の論理和を出力して換気扇の駆動を行う換気駆動手段と、
を具備してなることを特徴とする。
【０００７】
本発明においては、前記エアコンには、一定時間毎にルーバー及びファンを駆動する周期駆動手段が設けられてなるものが好適である。
【０００８】
【作用】
本発明においては、湿度が所定値以上となる換気扇が始動されることとなり、使用者が自ら始動操作を行うことなく適切な換気が確保されることとなるものである。
特に、エアコンによる湿度判定を流用するように構成することで、換気扇専用に湿度の検出、判定のための構成を設ける必要がなくなるので、構成の簡易化が図られこととなるものである。
【０００９】
【実施例】
以下、本発明に係る換気制御装置の実施例について、図１ないし図４を参照しつつ説明する。ここで、図１は本発明の前提となる換気制御装置の参考例における構成を示す構成図、図２は図１に示された参考例における制御動作の手順を示すフローチャート、図３は本発明の実施例における配置例を示す配置図、図４は図３の実施例における主要部の電気的構成例を示す構成図である。
尚、以下に説明する部材、配置等は本発明を限定するものではなく、本発明の趣旨の範囲内で種々改変することができるものである。
【００１０】
本例における換気制御装置は、換気駆動手段としての換気コントローラ２を有してなり、この換気コントローラ２は、エアコン３に用いられたＣＰＵ５からの制御信号により換気扇１を動作させるようになっているものである。
すなわち、エアコン３は、検出手段としての湿度センサ４と、制御信号発生手段としてのＣＰＵ５と、このＣＰＵ５と湿度センサ４とのインターフェイスを図るインターフェイス回路（図１において「Ｉ／Ｆ」と略記）６と、駆動回路７とを有してなるものである。
【００１１】
湿度センサ４は室内の湿度を検出するもので、その検出信号はインターフェイス回路６を介してＣＰＵ５へ入力されるようになっている。
ＣＰＵ５は、エアコン３のルバー及びファン（共に図示せず）を駆動回路７を介して制御する他、先の湿度センサ４の検出結果に応じて換気コントローラ２に対して必要な制御信号を出力するようになっているものである。
尚、本例においては、ＣＰＵ５と駆動回路７により周期駆動手段が実現されるようになっている。
【００１２】
図２には、本装置の制御動作の手順を示すフローチャートが示されており、以下、同図を参照しつつ本装置の動作について説明する。
装置への電源投入がなされると、先ず、一定時間毎に駆動回路７を介してＣＰＵ５から制御信号により、エアコン３の図示されないルーバー及びファンが始動され、湿度測定に先だって室内の空気が取り込まれるようになっている（図２においてステップ１００）。
【００１３】
続いて、湿度センサ４による検出信号がインターフェイス回路６を介してＣＰＵ５に取り込まれ（図２のステップ１０２）、湿度が所定値以上か否かが判断されることとなる（図２のステップ１０４）。
湿度が未だ所定値に満たないと判断された場合、先のルバー及びファン駆動が一定時間をおいて再び行われることとなる（図２のステップ１０４）。
【００１４】
一方、湿度が所定値以上と判断された場合、ＣＰＵ５から換気扇コントローラに対して制御信号が出力され、換気コントローラ２はこの制御信号に応じて換気扇１を始動することとなり、室内の換気が所定以上の湿度において自動的に行われるようになる。
【００１５】
次に、本発明の実施例について、図３及び図４を参照しつつ説明する。
この実施例は、複数の居室に設けられたエアコンによる湿度検出結果を利用してダクト式換気装置を駆動するようにしたものである。
すなわち、図３に示されたように、この実施例においては、居室ＡないしＣにそれぞれエアコン３ａ〜３ｃが設けられている。
各エアコン３ａ〜３ｃの基本的な電気的構成は、図１に示されたものと同一である。
【００１６】
また、各居室ＡないしＣには、換気コントロール２ａ〜２ｃが設けられており、この換気コントローラ２ａ〜２ｃの出力信号は、制御器８に入力されるようになっている。
各換気コントローラ２ａ〜２ｃは、図１で説明したようにぞれぞれの居室内のエアコン３ａ〜３ｃから制御信号を入力するようになっているものである。
制御器８は、各換気コントローラ２ａ〜２ｃから出力された換気扇駆動のための信号の論理和をとって給気用換気ファン９及び排気用ファン１０へ出力するようになっているものである（図４参照）。
【００１７】
各居室ＡないしＣには換気口１１ａ〜１１ｃが設けられており、この換気口１１ａ〜１１ｃは、給気ダクト１２と排気ダクト１３に連通している。そして、給気ダクト１２の他端は給気用換気ファン９へ、排気ダクト１３の他端は排気用ファン１０へ、ぞれぞれ連通しており、給気及び排気が行われるようになっている。
【００１８】
そして、給気用換気ファン９及び排気用ファン１０は、制御器８を介していずれかの換気コントローラ２ａ〜２ｃから駆動信号が出力されると駆動されるようになっている。
【００１９】
かかる構成における動作について説明すれば、先ず、各居室のエアコン３ａ〜３ｃにおいて定期的に図示されないルーバー及びファンが回転され、その後に湿度センサによる湿度判断が行われるのは、先に図２で説明した参考例の場合と同様である（図２のステップ１００ないし１０４参照）。
【００２０】
そして、いずれかの居室ＡないしＣのエアコン３ａ〜３ｃにおいて、湿度が所定値以上と判断されると、当該いずれかのエアコン３ａ〜３ｃからは該当する換気コントローラ２ａ〜２ｃへ対して制御信号が出力され、いずれかの換気コントローラ２ａ〜２ｃからは給気用換気ファン９及び排気用ファン１０を駆動するための駆動信号が出力される。この駆動信号は、制御器８を介して給気用換気ファン９及び排気用ファン１０を始動し、各居室ＡないしＣの換気が強制的に行われることとなる。
【００２１】
【発明の効果】
以上、述べたように、本発明によれば、湿度に応じて自動的に換気がなされるようにしたので、使用者が自ら換気扇の操作を行うことなく適切な換気が確保されることとなる。
また、特に、エアコンによる湿度検出結果を利用するように構成することで、換気扇の制御のために別個に検出手段等を設ける必要がなくなり、簡易な構成で確実且つ適切な換気が行われる装置を提供することができる。
【図面の簡単な説明】
【図１】本発明の前提となる換気制御装置の参考例における構成図である。
【図２】図１に示された参考例における制御動作の手順を示すフローチャートである。
【図３】本発明の実施例における配置例を示す配置図である。
【図４】図３の実施例における主要部の電気的構成例を示す構成図である。
【図５】従来の換気設備の配置構成例を示す説明図である。
【符号の説明】
１…換気扇                          ２…換気コントローラ
２ａ〜２ｃ…換気コントローラ        ４…湿度センサ
５…ＣＰＵ                          ７…駆動回路
８…制御器
【図１】
0003554391.tif 000002
【図２】
0003554391.tif 000003
【図３】
0003554391.tif 000004
【図４】
0003554391.tif 000005
【図５】
0003554391.tif 000006